(57)【要約】      （修正有）【課題】腰掛けやすく、また、リンクバネ装置のバネ圧調整機構を取り付けても椅子全体をコンパクトにまとめることが可能な屈伸運動補助機能を備えた椅子を提供する。【解決手段】リンクバネ装置の伸縮に追従して上下する押圧部材６２０と、押圧部材６２０と当接すると共に、さらに降下する押圧部材６２０によって下方側に移動する当接部材６４０と、上端側が固定され、下端側が当接部材と連結された弾性部材６１０とを備え、リンクバネ装置が押し込まれてバネ圧力が減衰する高さ位置付近に至ったときに押圧部材６２０が当接部材６４０に当接すると共に、押圧部材６２０がさらに降下して当接部材６４０を下方側へ移動させると弾性部材６２０の引張力が作用して減衰したリンクバネ装置のバネ圧力を補助するバネ圧調整機構６０が設けられていることを特徴とする。【選択図】  図７
0003138071.tif 000002
【実用新案登録請求の範囲】
【請求項１】
２つのリンクプレートをＸ字状に交差させてリンク部材を形成し、一対の前記リンク部材をそれぞれ対向させるように配置して、各前記リンク部材の交点同士を中心軸によって連結すると共に各前記リンクプレートの端部近傍同士をそれぞれ連結軸で連結してリンクユニットを形成し、当該リンクユニットの上部側の連結軸と他のリンクユニットの下部側の連結軸とを共有させるようにして複数連設することによって伸縮可能なリンク機構を形成し、そして、対向するようにして位置する前記連結軸同士を少なくとも２ヶ所以上で当該リンク機構を伸長させる方向に付勢する弾性部材を架設して構成されたリンクバネ装置により座部が上下するようにされ、それによって前記座部に腰掛けた使用者の体重を支えると共に、使用者が立ち上がる動作をした際に当該使用者の臀部を下から押し上げるようにして力を加えその動作を補助するようにされた屈伸運動補助機能を備えた椅子において、
前記リンクバネ装置の伸縮に追従して上下する押圧部材と、
前記リンクバネ装置のバネ圧が減衰する高さ位置付近で降下する前記押圧部材と当接すると共に、さらに降下する押圧部材によって下方側に移動する当接部材と、
前記リンクバネ装置の伸縮方向と平行に配置された弾性部材であって、上端側が固定され、下端側が前記当接部材と連結された弾性部材と、
を備え、前記リンクバネ装置が押し込まれてバネ圧力が減衰する高さ位置付近に至ったときに前記押圧部材が前記当接部材に当接すると共に、前記押圧部材がさらに降下して前記当接部材を下方側へ移動させると前記弾性部材の引張力が作用して減衰した前記リンクバネ装置のバネ圧力を補助するバネ圧調整機構が設けられていることを特徴とする屈伸運動補助機能を備えた椅子。
【請求項２】
請求項１に記載の屈伸運動補助機能を備えた椅子において、
前記押圧部材は、寸切ボルトの下端部に配置されると共に、当該寸切ボルトは、その中心を軸方向に貫通するようにして立設されたシャフトが挿通されてなり、前記シャフトを回動させることにより前記寸切ボルトを上下に移動させることによって前記押圧部材の高さ位置が調整可能とされていることを特徴とする屈伸運動補助機能を備えた椅子。
【請求項３】
請求項２に記載の屈伸運動補助機能を備えた椅子において、
前記寸切ボルトには、当該寸切ボルトの上下移動の範囲を規制するためのストッパが取り付けられていることを特徴とする屈伸運動補助機能を備えた椅子。
【請求項４】
請求項１から３のいずれか１項に記載の屈伸運動補助機能を備えた椅子において、
前記弾性部材は引きバネであることを特徴とする屈伸運動補助機能を備えた椅子。
【請求項５】
請求項１から４のいずれか１項に記載の屈伸運動補助機能を備えた椅子において、
前記座部は、リンクバネ装置を構成する最上段のリンク部材の可動端側に取り付けられて構成され、使用者が前記座部に腰掛けるとリンクバネ装置が押圧されて前記可動端が次第に使用者側に移動し、それによって座部が使用者の臀部を深く支えるようにしたことを特徴とする屈伸運動補助機能を備えた椅子。
【考案の詳細な説明】
【技術分野】
【０００１】
本考案は、屈伸運動補助機能を備えた椅子に関し、さらに詳しくは、Ｘ字状に組み合わされたリンク部材を複数連設して構成したリンク機構を有するリンクバネ装置により使用者の体を支持しながら上昇させることにより屈伸運動を補助する屈伸運動補助機能を備えた椅子に関する。
【背景技術】
【０００２】
周知のように、わが国の高齢化は急速に進行しており、人口に対する高齢者の割合が大幅上昇している。高齢者の多くは足腰の衰えや関節痛に悩まされているため椅子に腰掛けて生活している者が多いが、椅子に腰掛けたり立ち上がったりする動作はやはり負担が大きい。そのため、椅子から立ち上がる際の負担を軽減し高齢者の負担を解消すべく、例えば、特開平８−６７０号公報（特許文献１）、特開平８−１１２３１４号公報（特許文献２）、特開２００４−２６７４１０号公報（特許文献３）などによって種々の提案がなされている。
【０００３】
このような状況の中で本考案の考案者らは、リンク機構全体があたかも一つのバネのように働くリンクバネ装置を開発し特許出願すると共に（特開２００７−１０７６７８号公報（特許文献４））、当該リンクバネ装置を利用することにより、椅子として利用することができ、しかも使用者が椅子に腰掛けたり立ち上がったりする動作を補助しながらそれを繰り返すことによって適度な運動を行うことが可能な運動補助具機能を備えた椅子を開発し提案を行った（特許第３７９５０５７号公報（特許文献５））。
【０００４】
【特許文献１】特開平８−６７０号公報
【特許文献２】特開平８−１１２３１４号公報
【特許文献３】特開２００４−２６７４１０号公報
【特許文献４】特開２００７−１０７６７８号公報
【特許文献５】特許第３７９５０５７号公報
【考案の開示】
【考案が解決しようとする課題】
【０００５】
本考案の考案者らが発明した上述のリンクバネ装置は、特許文献４、５において示しているように、だんだんと加重を加えていくとリンクバネ装置は、次第に低くなるが、ある一定の高さまで低くなると加重を支えるべき力が弱まるという性質がある。すなわち、このリンクバネ装置は、ある程度の高さまでは強い加重を支えながら次第に縮まっていくが、ある程度まで押し縮められると今度はこれまで加えられていた力よりも弱い力でリンク機構を押し縮めることができるようになる。この点、通常の押しバネの場合は、負荷のかかっていない状態から負荷を加えていくと初めは少ない負荷で押し縮めることができるが、次第に押し縮められるに従ってその反発力は大きくなる。しかし、このリンクバネ装置は、加重に対してこれまでの押しバネとは全く逆の作用をするという性質があった。そのため、使用者が椅子に腰掛けて座部がある程度下がり、使用者の体重が椅子にかかったあたりでリンクバネの力が弱まる場合があった。この点、引用文献５では水平方向に伸縮するようなバネ圧調整機構を台座に設けてリンクバネの押圧力を調整するように構成されていた。
また、椅子から立ち上がる際に座部が前傾して使用者が立ち上がりやすいように構成されていた。
【０００６】
しかし、水平方向に伸縮するコイルバネを台座の表面に設けたバネ圧調整機構であると、その分台座の表面積を大きくとらなければならず置き場所が制約されるという問題があった。もちろん台座の表面積が広ければ椅子の安定性はよいがあまり場所を取るようでは使い勝手が悪い。
また、使用者が立ち上がりやすいようにするだけでなく、使用者が腰掛ける際にも座部が使用者の臀部を深く支えるようにすることにより腰掛けやすいようにすることが好ましい。
【０００７】
そこで、本願考案においては、従来のリンクバネ装置を利用した椅子と異なり、台座の表面積を大きく取ることなく、椅子全体をコンパクトにまとめることが可能なリンクバネの押圧力を調整するためのバネ圧調整機構を新たに取り付けて構成される屈伸運動補助機能を備えた椅子を提供することを目的とする。
また、屈伸運動を行う場合に、使用者が腰掛ける際にも座部が使用者の臀部を深く支えるようにすることにより腰掛けやすいような屈伸運動補助機能を備えた椅子を提供することを目的とする。
【課題を解決するための手段】
【０００８】
上記課題を解決するために請求項１に記載の本考案は、２つのリンクプレートをＸ字状に交差させてリンク部材を形成し、一対のリンク部材をそれぞれ対向させるように配置して、各リンク部材の交点同士を中心軸によって連結すると共に各リンクプレートの端部近傍同士をそれぞれ連結軸で連結してリンクユニットを形成し、リンクユニットの上部側の連結軸と他のリンクユニットの下部側の連結軸とを共有させるようにして複数連設することによって伸縮可能なリンク機構を形成し、そして、対向するようにして位置する連結軸同士を少なくとも２ヶ所以上でリンク機構を伸長させる方向に付勢する弾性部材を架設して構成されたリンクバネ装置により座部が上下するようにされ、それによって座部に腰掛けた使用者の体重を支えると共に、使用者が立ち上がる動作をした際に使用者の臀部を下から押し上げるようにして力を加えその動作を補助するようにされた屈伸運動補助機能を備えた椅子において、リンクバネ装置の伸縮に追従して上下する押圧部材と、リンクバネ装置のバネ圧が減衰する高さ位置付近で降下する押圧部材と当接すると共に、さらに降下する押圧部材によって下方側に移動する当接部材と、リンクバネ装置の伸縮方向と平行に配置された弾性部材であって、上端側が固定され、下端側が当接部材と連結された弾性部材とを備え、リンクバネ装置が押し込まれてバネ圧力が減衰する高さ位置付近に至ったときに押圧部材が当接部材に当接すると共に、押圧部材がさらに降下して当接部材を下方側へ移動させると弾性部材の引張力が作用して減衰したリンクバネ装置のバネ圧力を補助するバネ圧調整機構が設けられていることを特徴とする。
【０００９】
上記課題を解決するために請求項２に記載の本考案は、請求項１に記載の屈伸運動補助機能を備えた椅子において、押圧部材は、寸切ボルトの下端部に配置されると共に、寸切ボルトは、その中心を軸方向に貫通するようにして立設されたシャフトが挿通されてなり、シャフトを回動させることにより寸切ボルトを上下に移動させることによって押圧部材の高さ位置が調整可能とされていることを特徴とする。
【００１０】
上記課題を解決するために請求項３に記載の本考案は、請求項２に記載の屈伸運動補助機能を備えた椅子において、寸切ボルトには、寸切ボルトの上下移動の範囲を規制するためのストッパが取り付けられていることを特徴とする。
【００１１】
上記課題を解決するために請求項４に記載の本考案は、請求項１から３のいずれか１項に記載の屈伸運動補助機能を備えた椅子において、弾性部材は引きバネであることを特徴とする。
【００１２】
上記課題を解決するために請求項５に記載の本考案は、請求項１から４のいずれか１項に記載の屈伸運動補助機能を備えた椅子において、座部は、リンクバネ装置を構成する最上段のリンク部材の可動端側に取り付けられて構成され、使用者が座部に腰掛けるとリンクバネ装置が押圧されて可動端が次第に使用者側に移動し、それによって座部が使用者の臀部を深く支えるようにしたことを特徴とする。
【考案の効果】
【００１３】
本考案に係る屈伸運動補助機能を備えた椅子によれば、バネ圧調整機構をリンクバネの伸縮方向すなわち垂直方向に伸縮するように弾性体を配置したので従来のように台座の表面積を広く取る必要がなく、椅子全体をコンパクトにすることができるという効果がある。
また、バネ圧調整機構を垂直方向に伸縮する弾性体によって構成することとしたので弾性体の調整や交換といったメンテナンスが行ないやすいという効果がある。
さらに、使用者が座部に腰掛けてリンクバネ装置が下方に下がるに従って座部が使用側に移動して使用者の臀部を深く支えるためとても座りやすいという効果がある。
【考案を実施するための最良の形態】
【００１４】
本考案に係る屈伸運動補助機能を備えた椅子について図面を参照しつつ以下詳細に説明する。図１は本考案に係る屈伸運動補助機能を備えた椅子の好ましい一実施形態の一部側面断面図、図２は図１の椅子の座部が下降した状態を示す一部側面断面図、図３はその平面図である。
【００１５】
初めに、図示された屈伸運動補助機能を備えた椅子１（以下、「椅子１」という）は、概略として、平板状の台座３０の上にリンクバネ装置２０が配置され、このリンクバネ装置２０の最上段のリンクユニット２０１の可動端２０１ｂの移動に伴って移動するようにされた座部１０を備えて構成されている。
【００１６】
リンクバネ装置２０は、図１に示すように、概略として、リンクユニット２０１〜２０３が３段にわたって連設されて構成されており、各リンクユニット２０１〜２０３は、以下のように形成されている。すなわち、図４に示すように、リンクユニット２０１は、２つのリンクプレート２１５ａ、２１５ｂをＸ字状に交差させて形成された２つのリンク部材２１１ａ、２１１ｂを、一対としてそれぞれ対向させるように配置し、各リンク部材２１１ａ、２１１ｂのリンクプレート２１５ａ、２１５ｂの交点同士を中心軸２１７によって回動自在に連結すると共に、各リンクプレート２１５ａ、２１５ｂの端部近傍同士をそれぞれ連結軸２１９ａ、２１９ｂで連結することにより形成されている。
【００１７】
そして、リンクユニット２０１の下部側の連結軸２１９ｂ、２１９ｂはそれよりも下側に配置されるリンクユニット２０２の上部側の連結軸２１９ａ、２１９ａと共有するようになっており、リンクユニット２０３も同様に構成さｒている。このようにしてリンクユニット２０１〜２０３を上下方向に複数（ここでは３段）連設することによって伸縮自在なリンク機構２０が形成されている。そして、それぞれ対向するようにして配置されている連結軸２１９ａ、２１９ａ同士及び連結軸２１９ｂ、２１９ｂ同士を好ましくは２ヶ所以上でリンク機構を伸長させる方向（図４の矢印方向）に付勢する弾性部材２２０、２２０を架設することによりリンクバネ装置２０が構成されている。弾性部材２２０は、例えば、バネ、好ましくは引っ張りバネを架設することによりリンク機構２０を伸長させる方向（図５の矢印方向）に付勢するようになっている。
【００１８】
一対のリンク部材２１１ａ、２１１ｂを連結する中心軸２１７は、丸棒状の部材によって構成されており、同様に、一対のリンク部材２１１ａ、２１１ｂを連結する連結軸２１９ａ、２１９ｂも丸棒状の部材によって構成されている。中心軸２１７及び連結軸２１９ａ、２１９ｂの長さと、リンクプレート２１５ａ、２１５ｂの長さを適宜調整することによって取り付け面積が比較的広い安定したリンクバネ装置２０としたり、取り付け面積が狭いよりコンパクトなリンクバネ装置２０としたりすることができる。尚、中心軸２１７及び連結軸２１９ａ、２１９ｂにボールベアリング等を介在させることによりリンクバネ装置２０の伸縮をよりスムーズなものにすることができる。
【００１９】
このようにして形成されたリンクバネ装置２０は、台座３０の上に下段カバー５ａと上段カバー５ｂによって覆い隠されるようにして配置されている。リンクバネ装置２０を覆い隠すのは可動機構が露出していると安全上及び外観上好ましくないからである。ここで、上段カバー５ｂはリンクバネ装置２０の圧縮に伴って下降する際に下段カバー５ａを内側に収容するような入れ子式になっており、上段カバー５ｂはリンクバネ装置２０の伸縮に合わせて可動するようになっている。尚、上段カバー５ｂが上段カバー５ａの内側に入り込むような構成とすることもできる。リンクバネ装置２０は、最下段のリンクユニット２０３の一方側の端部が固定端２０３ａとして台座３０に固定されると共に、最上段のリンクユニット２０１の一方側の端部も固定端２０１ａとして上段カバー５ｂの天板の裏面に固定されて配置されている。
【００２０】
一方、最上段のリンクユニット２０１の固定端２０１ａとは反対側の端部はリンクバネ装置２０の伸縮に伴って可動する可動端２０１ｂとなっており、この可動端２０１ｂの動きに連動するようにして座部１０が取り付けられている。具体的には、図１及び図２に示すように、リンクユニット２０１の可動端２０１ｂは上段カバー５ｂの天板の内側面に取り付けられた案内レール１０ａに沿って移動するようにされており、この可動端２０１ｂには基台１１が取り付けられており、この基台１１に座部１０が取り付けられている。座部１０は、基台１１の前方側に設けられた支点１０ｂによって傾倒自在に軸支されており、使用者の屈伸運動による臀部の位置に追随するようにして傾倒するようになっている。また、基台１１には座部１０を支持するための支持部材１０ｃが設けられており、座部１０をほぼ水平状態とした際に座部１０の裏面に当接してしっかりと支持するようになっている。
【００２１】
一方、最下段のリンクユニット２０３の固定端２０３ａとは反対側の端部は、上述の可動端２０１ｂと同様に、リンクバネ装置２０の伸縮に伴って可動する可動端２０３ｂとなっており、可動端２０３ｂは台座３０に取り付けられた案内レール３０ａに沿って移動するようになっている。また、上段カバー５ｂの天板の裏面には下降位置調整部材９が設けられていると共に、その下側には下降位置調整部材９と当接する停止部材３０ｃが設けられている。これにより、使用者が椅子１に腰掛けることによりリンクバネ装置２０が圧縮されると下降位置調整部材９がそれに従って降下して停止部材３０ｃに当接し、それ以上の降下が阻止されるようになっている。下降位置調整部材９は、その長さが調整可能とされているので下降位置調整部材９の長さを使用者の体型に合わせて適宜調整することによって座部１０の降下位置を調整することができる。尚、停止部材３０ｃの長さを可変とすることでも同様の機能を発揮させることができるのはいうまでもない。
【００２２】
上段カバー５ｂの後ろ側には支持棒７ａが立設されており、支持棒７ａの上部に背もたれ７取り付けられている。背もたれ７は支持棒７ａに対して上下移動可能とされており使用者の体型に合わせて適宜調整可能とされている。また、背もたれ７には、背もたれ７と一体となってＵ字状に形成された肘掛８が設けられている。肘掛８は使用者が手でしっかりと掴んで体重を支えながら屈伸運動を行なうことがきるように前方にやや突き出るようにして配置されている。このように構成された椅子１の座部１０は、上述したようにリンクバネ装置２０を構成する最上段のリンクユニット２０１の可動端２０１ｂの動きに追随して移動するようになっているため、使用者が座部１０に腰掛けることによりリンクバネ装置２０が押圧されて座部１０が降下すると、それに伴って可動端２０１ｂは次第に使用者側に移動してくるので座部１０が使用者の臀部を深く支えるような動きをとる。使用者が立ち上がる場合にはそれとは逆にたちあら離動作と共に座部１０が次第に使用者側から離れていくので立ち上がり易い機構となっている。
【００２３】
このように、形成された椅子１の後部には、リンクバネ装置２０のバネ圧を調整するためのバネ圧調整機構６０が設けられている。すなわち、バネ圧調整機構６０は、図７に示すように、リンクバネ装置２０の後方の台座３０上に立設されて配置されており、概略として、２本の円筒状の支柱６０１、６０１と、両支柱６０１の内部にそれぞれ内装された弾性部材である引きバネ６１０と、２本の支柱６０１、６０１との間に立設されたシャフト６５０と、シャフト６５０に取り付けられた寸切ボルト６６０と、寸切ボルト６６０の下端部に取り付けられた押圧部材６２０を備えて構成されている。
【００２４】
まず、支柱６０１は、内部が中空状の円筒部材であり、図示されているように、支柱６０１の内部には引きバネ６１０が内装されている。引きバネ６１０は、その上端側が２本の支柱６０１、６０１を上部側で連結している連結部材６０２に固定されていると共に、その反対側である下端側は支柱６０１の内部を移動可能に配設されたＨ状の移動部材６４０の移動片６４１、６４１にそれぞれ取り付けられている。尚、移動部材６４０が移動する範囲の支柱６０１の側面にはスリットが設けられており、２つの移動片６４１、６４１の移動が阻害されないようになっている。
【００２５】
シャフト６５０に取り付けられた寸切ボルト６６０の下端部には押圧部材６２０が取り付けられていると共に、寸切ボルト６６０の途中箇所には取付板６７０が配置されており、取付板６７０は上段カバー５ｂの天板に連結されている。これにより、使用者が椅子１に腰掛けて座部１０に体重（荷重）がかかるとリンクバネ装置２０が圧縮され、それに伴って上段カバー５ｂが下がり、上段カバー５ｂに取り付けられた取付板６７０も下る。そして、取付板６７０の降下に従って寸切ボルト６６０も降下してその下部側に取り付けられた押圧部材６２０が移動部材６４０と当接することとなる。そして、さらにリンクバネ装置２０が圧縮されると押圧部材６２０は移動部材６４０を下方側に押し下げる。このとき移動部材６４０の移動片６４１、６４１に取り付けられた引きバネ６１０が働いて引っ張り力が発生し、移動部材６４０の降下を阻止する方向に力が作用する。これにより、減衰したリンクバネ装置２０のバネ圧力が補助され、リンクバネ装置２０特有のバネ圧の減衰に対して補助力が付与される。従って、使用者の体がストンと下がることなく最後までしっかりと座部１０に支持されながら椅子１に腰掛けることが可能となる。
【００２６】
また、寸切ボルト６６０の中心には軸方向に貫通するようにして図示しない六角孔が穿設されていると共に、その六角孔に挿通されたシャフト６５０の断面は六角孔の断面形状と補合するような六角形状となっている。さらに、ナット部材６６３が寸切ボルト６６０のネジ溝と螺合するようにして配置されている。このナット部材６６３は取付板６７０に固定されて配設されているのでシャフト６５０の上端部に設けられたハンドル６６１を回してシャフト６５０を回動させると、それに伴って寸切ボルト６６０も回動し、このときナット部材６６３が取付板６７０に固定されているので寸切ボルト６６０はナット部材６６３に案内されるようにしてシャフト６５０に沿って上下に移動することとなる。これにより寸切ボルト６６０の下端部に取り付けられた押圧部材６２０の高さ位置が調整でき、従って、押圧部材６２０の高さ位置を調整することができるようになっている。押圧部材６２０の高さ位置を調整することで引きバネ６１０の引っ張り力をどの段階で作用させるかを調整することができるので、例えば、図８に示すように、押圧部材６２０と移動部材６４０との間の距離Ａを短くすれば押圧部材６２０が早く移動部材６４０に当接して引きバネ６１０の引っ張り力が作用すると共に、その分引きバネ６１０が長い距離引っ張られるので作用する力も大きくなる。これに対して、図７に示すように、押圧部材６２０と移動部材６４０との間の距離Ｂを長く取れば押圧部材６２０が大分下がってから移動部材６４０に当接して引きバネ６１０の引っ張り力が作用することになるので補助力は小さくなる。このようなバネ圧調整機構６０を設けることによって使用者の体型に合わせた椅子１の動作を実現することが可能となる。尚、寸切ボルト６６０には２箇所にストッパ６３１、６３１が取り付けられており、寸切ボルト６６０の上下移動可能な範囲はその範囲内に制限されるようになっている。
【００２７】
次に、上述した椅子１の動作について説明する。初めに、使用者の身長、体重に基づいて、バネ圧調整機構６０の調整を行なう。すなわち、ハンドル６６１を回してシャフト６５０を回動させ、寸切ボルト６６０の下端部に取り付けられた押圧部材６２０の高さ位置を調整して移動部材６４０との間の距離を設定する。早い段階で引きバネ６１０の引っ張り力を作用させたい場合は寸切ボルト６６０を下側に移動させる。逆に引きバネ６１０の作用を遅くしたい場合には寸切ボルト６６０を上部側へ移動させる。そして、使用者は座部１０に腰掛けると使用者の体重によりリンクバネ装置２０が圧縮されはじめる。リンクバネ装置２０が圧縮されるとリンクユニット２０１の可動端２０１ｂが次第に使用者側へ移動するのに伴って座部１０が使用者の臀部を深く入り込みしっかりと支えるような動きをする。
【００２８】
一方、リンクバネ装置２０が圧縮されると上段カバー５ｂが下段カバー５ａをその内側へ収容するようにして降下し、それに伴って取付板６７０が降下して押圧部材６２０を下方側へ移動させる。押圧部材６２０が降下すると移動部材６４０に当接し、さらに押圧部材６２０が降下すると移動部材６４０も下方側へ移動させられ、これによって移動片６４１、６４１が引きバネ６１０を引っ張り、リンクバネ装置２０の降下を阻害する方向に引っ張り力が働く。これにより、リンクバネ装置２０がある程度圧縮された際のバネ圧の減衰を補助し、違和感のない動きを提供する。
【００２９】
一方、屈伸運動のために使用者が立ち上がる場合には、使用者は肘掛８を手でしっかりと押えて体重を支えながら立ち上がる動作を行なう。するとリンクバネ装置２０にかかっていた使用者の体重（荷重）が減少するので引きバネ６１０の引っ張り力とリンクバネ装置２０の上昇力により座部１０が上方に移動する。このとき、引きバネ６１０とリンクバネ装置２０が相俟って座部１０を押し上げて使用者の立ち上がり動作を補助する。これにより使用者に多大な負担をかけることなく屈伸運動を行なうことが可能となる。
【００３０】
以上のように、本考案の好ましい実施形態について詳述したが、本考案は係る特定の実施形態に限定されるものではなく、実用新案登録請求の範囲に記載された本考案の要旨の範囲内において、種々の変形・変更が可能であることはいうまでもない。
【図面の簡単な説明】
【００３１】
【図１】本考案に係る屈伸運動補助機能を備えた椅子の好ましい一実施形態の一部側面断面図である。
【図２】図１の椅子の座部が下降した状態を示す一部側面断面図である。
【図３】図１の椅子の平面図である。
【図４】リンクユニットの斜視図である。
【図５】リンクバネ装置の斜視図である。
【図６】縮んだ状態のリンクバネ装置の斜視図である。
【図７】バネ圧調整機構の背面図である。
【図８】寸切ボルトを下方に移動させた状態のバネ圧調整機構の背面図である。
【符号の説明】
【００３２】
１      椅子
５ａ      下段カバー
５ｂ      上段カバー
７      背もたれ
８      肘掛
１０      座部
２０      リンクバネ装置
３０      台座
６０      バネ圧調整機構
２０１、２０２、２０３、２０４      リンクユニット
２１１ａ、２１１ｂ      リンク部材
２１５ａ、２１５ｂ      リンクプレート
２１９ａ、２１９ｂ      連結軸
２２０      弾性部材
６０１    支柱
６１０      引きバネ
６２０      押圧部材
６４０      移動部材
６５０      シャフト
６６０      寸切ボルト
６７０      取付板
【図１】
0003138071.tif 000003
【図２】
0003138071.tif 000004
【図３】
0003138071.tif 000005
【図４】
0003138071.tif 000006
【図５】
0003138071.tif 000007
【図６】
0003138071.tif 000008
【図７】
0003138071.tif 000009
【図８】
0003138071.tif 000010